(57)【要約】  血中グルコース測定エンジンを有する携帯型糖尿病管理装置は、血中グルコース測定エンジンを有するハウジングとハウジング内に配置されている印刷回路基板を含む。タッチスクリーンがハウジングに連結され得る。タッチスクリーンは不透明部分に囲まれた透明部分を有しうる。不透明部分はタッチスクリーンをハウジングにシールする接着剤をその上に有している。可撓性のコネクタが、タッチスクリーンと印刷回路基板との間の少なくとも２つの独立した電気的導線を電気的に接続しうる。成形されたキャリアと成形されたキャリア上の導電部分とスピーカーとを含むアンテナアセンブリをハウジング内に配置しうる。導電部分は電気的に印刷回路基板に接続でき、無線信号を受信するように構成されうる。キャリアがスピーカーを受け入れる窪みを含みかつスピーカーからの音を放つように構成されている。
2013544550.tif 000002
【特許請求の範囲】
【請求項１】
血中グルコース測定エンジンを有する携帯型糖尿病管理装置であって、
ハウジング、
該ハウジングに配置されている血中グルコース測定エンジン、
該ハウジングに配置されている印刷回路基板、および、
該ハウジングに連結されているタッチスクリーン
を含んでおり、該タッチスクリーンは不透明部分に取り囲まれた透明部分を有し、該不透明部分は該タッチスクリーンを前記ハウジングにシールする接着剤をその上に有している携帯型糖尿病管理装置。
【請求項２】
前記携帯型糖尿病管理装置が、前記タッチスクリーンと前記印刷回路基板との間の少なくとも２つの独立した電気的導線を電気的に接続する可撓性のコネクタを含む請求項１記載の携帯型糖尿病管理装置。
【請求項３】
前記携帯型糖尿病管理装置が、前記ハウジングに配置され、成形されたキャリアと該成形されたキャリア上に配置された導電部分とスピーカーとを含んでいるアンテナアセンブリを含んでおり、該導電部分が前記印刷回路基板に電気的に接続され、かつ、無線信号を受信するように構成されており、前記キャリアが前記スピーカーを受け入れる窪みを含み、かつ、前記スピーカーからの音を放つように構成されている請求項１または２記載の携帯型糖尿病管理装置。
【請求項４】
前記タッチスクリーンが基板上に配置されている第１の電極フィルムを含む請求項１〜３のいずれか１項に記載の携帯型糖尿病管理装置。
【請求項５】
前記タッチスクリーンが第２の電極フィルムをさらに含んでおり、前記第１の電極フィルムが前記第２の電極フィルムと前記基板との中間に配置されている請求項１〜４のいずれか１項に記載の携帯型糖尿病管理装置。
【請求項６】
前記タッチスクリーンが、前記第２の電極フィルム上に配置されているグラフィックフィルムをさらに含む請求項１〜５のいずれか１項に記載の携帯型糖尿病管理装置。
【請求項７】
前記少なくとも２つの電気的導線を前記タッチスクリーンにそれぞれ接続する少なくとも２つの独立した電気的なピンをさらに含んでいる請求項１〜６のいずれか１項に記載の携帯型糖尿病管理装置。
【請求項８】
前記可撓性のコネクタが、前記電気的なピンに接続する第１のセグメント、前記印刷回路基板に接続する第２のセグメント、ならびに、該第１および第２のセグメントの間を接続する中間セグメントを有し、該第１および第２のセグメントは平行かつオフセットされた面に沿って伸びている請求項１〜７のいずれか１項に記載の携帯型糖尿病管理装置。
【請求項９】
前記成形されたキャリアが、協働して前記スピーカーを収容する２対の対面する側壁を含む請求項１〜８のいずれか１項に記載の携帯型糖尿病管理装置。
【請求項１０】
前記成形されたキャリアが、該キャリアを前記ハウジングに連結する固定具を収容するように構成された開孔を画定する請求項１〜９のいずれか１項に記載の携帯型糖尿病管理装置。
【請求項１１】
前記成形されたキャリアが、一般的に第１および第２の対面する側壁の対の間を連結するサポート壁を含む請求項１〜１０のいずれか１項に記載の携帯型糖尿病管理装置。
【請求項１２】
前記サポート壁が、前記対面する側壁のそれぞれの面に直交する面に沿って伸びており、該サポート壁が、実質的に、対面する各側壁の中間点に位置している請求項１１記載の携帯型糖尿病管理装置。
【請求項１３】
前記窪みが前記スピーカーからの音を発するように構成された出口を画定し、前記サポート壁が前記スピーカーと前記出口との中間に位置している請求項１〜１２のいずれか１項に記載の糖尿病管理装置。
【請求項１４】
前記スピーカーと前記サポート壁との中間に配置された発泡体をさらに含み、かつ該発泡体および前記サポート壁が、両方で実質的に一直線に並んだ開口を画定している請求項１〜１３のいずれか１項に記載の携帯型糖尿病管理装置。
【発明の詳細な説明】
【技術分野】
【０００１】
ここで開示されているものは、診断や治療に用いられる糖尿病をケアする医療装置、特に血中グルコースメータを備えかつタッチスクリーンディスプレイを有する携帯型糖尿病管理装置に関する。
【背景技術】
【０００２】
この項はここで開示されるものに関する背景的な情報を提供しており、かかる情報は先行技術である必要はない。
【０００３】
糖尿病疾患、しばしば糖尿病と呼ばれる疾患は、ヒトにおいてインスリンを生成および／または使用する生体の能力に欠陥が生じた結果、血中グルコースレベルが上昇した慢性的な状態である。糖尿病には主に３つのタイプがある。１型糖尿病は、通常、子供と若年を襲うものであり、自己免疫性、遺伝性および／または環境性でありうる。２型糖尿病は、糖尿病の９０〜９５％のケースを占め、肥満および運動不足に関連している。妊娠性糖尿病は妊娠期に見つかる耐糖能異常の形態であり、たいてい出産後には解消する。
【０００４】
世界保健機関によれば、２００９年に、世界全体で少なくとも２億２０００万人が糖尿病に罹患しているとされている。２００５年には、推定で１１０万人が糖尿病で亡くなっていた。糖尿病の発症率は急速に増えてきており、２００５年から２０３０年の間に糖尿病での死者の数は２倍になると推定されている。米国においても、２４００万近くのアメリカ人が糖尿病を患っており、６０歳またはそれ以上のシニア世代は推定で２５％が罹患している。疾病対策予防センター（Centers for Disease Control and Prevention）は、２０００年以降に生まれた米国人３人に１人は、生涯において糖尿病を発症すると予測している。国立糖尿病情報センター（National Diabetes Information Clearinghouse）は、米国単独で、糖尿病に毎年１３２０億ドルのコストがかかると予測している。治療しないと、糖尿病は心臓病、脳卒中、失明、腎臓疾患、四肢切断、そして肺炎や流感での死亡などの深刻な合併症に至りうる。
【０００５】
糖尿病は主に、血流中のグルコースレベルをコントロールすることで管理している。このレベルは変動的かつ複雑であり、摂取した食物の量および種類や血中の（細胞膜を通してグルコースの搬送を媒介する）インスリンの量を含む多数の要因に影響される。血中グルコースレベルはまた、運動、睡眠、ストレス、喫煙、旅行、病気、月経、および各患者に固有の精神的および生活習慣要素に対しても敏感である。血中グルコースおよびインスリンの変動性、ならびに、血中グルコースに影響を及ぼす他の全ての要因は、しばしば、糖尿病患者に血中グルコースレベルを予測することを要求する。そこで、血中グルコースレベルを適切な範囲に維持するように、インスリンまたは経口薬または両方による治療が調整されることがある。
【０００６】
糖尿病の管理は、終始、信頼のおける診断上の情報を得て、処方された治療に従い、そして毎日の生活習慣を管理する必要があるため、患者にとって時間を取られることである。血中グルコースなどの診断上の情報は、典型的には切開装置を用いて、毛細血管の試料から得られ、そして携帯型血中グルコースメータで測定される。間質内のグルコースレベルは、体に着用している持続性のグルコースセンサーから得ることができる。処方された治療には、インスリン、経口薬、またはそれらの両方が含まれる。インスリンは、注射器、歩行型の注入ポンプ、インスリン貼付剤、またはこれらの組合せにより投与することができる。インスリン治療に関して、注入すべきインスリンの量を決定するには、運動や他の生理的状態の影響と共に、脂質、炭水化物およびタンパク質の食事組成を予測することが要求される。体重、食事および運動などの生活習慣要因の管理は、治療のタイプと効果にかなりの影響を与え得る。
【０００７】
糖尿病の管理には、医療機器から、個人的な健康管理機器から、患者が付けた記録から、臨床検査から、健康管理の専門家の推奨（healthcare professional recommendation）から、様々な方法で得られる大量の診断データおよび処方データが含まれる。医療機器には、ｂＧメータ、持続グルコースモニター、歩行型のインスリン注入ポンプ、糖尿病分析ソフトウェア、および糖尿病機器設定ソフトウェアが含まれる。これらのシステムはいずれも、大量の診断および処方データを生成および／または管理する。個人的な健康管理機器には、体重計、血圧カフ、運動器具、体温計、および体重管理ソフトウェアが含まれる。患者が付けた記録には、食事、運動および生活習慣に関する情報が含まれる。臨床検査結果には、ＨｂＡ１Ｃ、コレステロール、トリグリセリド類、および耐糖能（glucose tolerance）が含まれる。健康管理の専門家の推奨には、処方箋、食習慣、検査計画、および患者の治療に関連する他の情報が含まれる。
【発明の概要】
【発明が解決しようとする課題】
【０００８】
糖尿病を持つヒトのケアと健康状態を向上させるべく、医療機器、個人的な健康管理機器、患者の記録情報、バイオマーカの情報および記録情報から、診断データおよび処方データを効率的な方法で集約し、操作し、管理し、提示し、伝達することにより、糖尿病を持つヒトが人生を全うし、かつ糖尿病による合併症のリスクを減らすことができるようにした携帯型の患者用の装置へのニーズがある。
【０００９】
また、（食品医薬品局（Food and Drug Administration）などの）規制の清潔さの要件に合致しながらも、タッチスクリーンの利便性を与え得る携帯型の患者用装置を提供することへのニーズがある。さらに、携帯型の装置の内部空間を最適化する内部要素の配置を提供することへのニーズもある。
【００１０】
この項では、ここでの開示の一般的な要点を示しており、その全範囲または特徴の全部を包括的に開示するものではない。
【課題を解決するための手段】
【００１１】
血中グルコース測定エンジンを有する携帯型糖尿病管理装置は、血中グルコース測定エンジンを有するハウジングと、該ハウジング内に配置されている印刷回路基板とを含んでいる。タッチスクリーンはハウジングに連結され得る。タッチスクリーンは不透明な部分で取り囲まれている透明部分を有しうる。不透明な部分の上には、タッチスクリーンをハウジングにシールする接着剤を有しうる。可撓性のコネクタは、タッチスクリーンと印刷回路基板との間の少なくとも２つの独立した電気的導線を電気的に繋ぐことができる。アンテナアセンブリがハウジング内に配置されて良く、成形されたキャリア、該キャリア上に配置されている導電性部分、およびスピーカーを含む。導電性部分は印刷回路基板と電気的に接続することができ、無線信号を受信するように構成しうる。キャリアはスピーカーを収容する窪みを含むことができ、スピーカーからの音を放出するように構成されている。
【００１２】
追加の特徴によれば、タッチスクリーンは、基板の上に配置された第１の電極フィルムを含みうる。タッチスクリーンはさらに、第２の電極フィルムを含みうる。第１の電極フィルムは第２の電極フィルムと基板との中間に配置することができる。タッチスクリーンはさらに、第２の電極フィルムの上に配置されたグラフィックフィルムを含みうる。少なくとも２つの独立した電気的なピンにより、前記の２つの電気的導線をそれぞれタッチスクリーンに接続しうる。可撓性のコネクタは、電気的なピンに接続する第１のセグメント、印刷回路基板に接続する第２のセグメント、ならびに、第１および第２のセグメントの間を接続する中間セグメントを有することができる。第１および第２のセグメントは平行かつオフセットされた面に沿って伸びうる。
【００１３】
成形されたキャリアは、スピーカーを収容する窪みを協働して形成する対面した２対の側壁を含みうる。成形されたキャリアは、キャリアとハウジングを連結する固定具を収容するように構成された開口部を形作ることができる。成形されたキャリアは、一般的に、対面する側壁の第１および第２の対の間を連結するサポート壁を含みうる。サポート壁は、対面する各側壁の面と直交する面に沿って伸びうる。サポート壁は、対面する各側壁の中点に実質的に位置しうる。窪みは、スピーカーからの音を発するように構成された出口を画定することができる。サポート壁は、スピーカーと出口の中間に位置させることができる。発泡部材をスピーカーとサポート壁との中間に配置しうる。発泡体とサポート壁は両方で実質的に一直線に並んだ開口を画定することができる。
【００１４】
ここに描いた図面は、全ての可能な実施例ではなく選ばれた実施態様のみを説明するためのものであり、また、本件の開示の範囲を限定する意図はない。
【００１５】
幾つかの図面を通じて、対応する符号は対応する部分を示す。
【図面の簡単な説明】
【００１６】
【図１】患者と、本件の教示に従った携帯型糖尿病管理装置を持つ臨床医とを示す。
【図２】代表的な持続グルコースモニター（ＣＧＭ）と、第１の歩行型インスリン注入ポンプと、第２の歩行型インスリン注入ポンプと、携帯型糖尿病管理装置とを持つ患者を示す。
【図３】糖尿病を管理するために患者と臨床医によって使用される装置の代表的な糖尿病ケアシステムを示す。
【図４】図１の携帯型糖尿病管理装置の等角図を示す。
【図５】図１の携帯型糖尿病管理装置の等角図を示す。
【図６】図１の携帯型糖尿病管理装置の等角図を示す。
【図７】図１の携帯型糖尿病管理装置の等角図を示す。
【図８】図１の携帯型糖尿病管理装置の等角図を示す。
【図９】本件の教示に従った代表的な携帯型糖尿病管理装置の分解組み立て図を示す。
【図１０】下部ハウジングと、バッテリーと、バッテリーカバーとを外した図９の携帯型糖尿病管理装置の背面の斜視図である。
【図１１】図９のタッチウインドおよび上部ハウジングの背面の分解組み立て図である。
【図１２】図１１の１２−１２線で切り取られたタッチウインドの断面図である。
【図１３】図１１のタッチウインドのタッチウインドセンサー用の電気的な概略の配線を示す。
【図１４】携帯型糖尿病管理装置のアンテナアセンブリの前面の斜視図である。
【図１５】図１４のアンテナアセンブリの背面の斜視図である。
【図１６】図１５のアンテナアセンブリの背面の分解組み立て図である。
【発明を実施するための形態】
【００１７】
付随する図面を参照して、例示的な実施形態はより完全に説明される。
【００１８】
まず図１を参照すると、本件の教示の１つの例に従って構成された携帯型糖尿病管理装置が示されており、概して符号１０で識別される。図１はまた、診療環境における糖尿病患者１２と臨床医１４を示しており、臨床医１４と患者１２は携帯型糖尿病管理装置１０を含む糖尿病管理用の種々の装置について議論している。説明のために、図２に、糖尿病患者１２が、携帯型糖尿病管理装置１０と持続グルコースモニター（ＣＧＭ）２０と第１の歩行型インスリン注入ポンプ２２と第２の歩行型インスリン注入ポンプ２４を携帯するところを示している。
【００１９】
糖尿病患者には、メタボリック症候群、前糖尿病、１型糖尿病、２型糖尿病、妊娠性糖尿病、および他のタイプの糖尿病の患者が含まれ、ここではこれらをまとめて患者１２という。糖尿病の医療提供者は多様であり、看護師、ナース・プラクティショナー、内科医および内分泌科医を含み、ここではこれらをまとめて臨床医１４という。医療診察において、典型的には、患者１２は臨床医１４と、血中グルコース測定値、持続グルコースモニターデータ、注入されたインスリン、食事や飲料消費、運動、および他の生活習慣情報を含む患者情報を共有する。この患者のデータは、患者の日誌やＡｃｃｕ−Ｃｈｅｋ（登録商標）３６０ビュー・ブラッド・グルコース・アナリシス・システム（Accu-Chek(R) 360 View Blood Glucose Analysis System）形式などの他の道具に手で記録されたり、携帯型糖尿病管理装置１０などの携帯型の糖尿病管理装置に電子的に記録されたり、糖尿病分析ソフトウェアを使ったパソコンに電子的に記録されたり、ｗｅｂ上の糖尿病分析サイトに電子的に記録されたり、またはこれらの手段を組み合わせて記録されたりしている。臨床医１４はしばしば、ＨｂＡ１Ｃ、コレステロールレベル、トリグリセリド類、血圧および体重の測定値などの患者の追加のバイオマーカのデータを得るであろう。臨床医１４は、これらの患者データを手で、または糖尿病分析ソフトウェアやｗｅｂ上の糖尿病分析サイトを用いて電子的に、またはこれらを組み合わせて分析することができる。以前に処方した療法への患者の支持に加えて患者データを分析した後、臨床医１４は患者１２に対する治療を変更するかどうかを決定することができる。治療を変更するかどうかの考慮において、臨床医１４は、患者１２と、支払人（図示せず）と、臨床医１４との利益のバランスを取る必要があろう。
【００２０】
図３は、本件の教示に従って、糖尿病を管理するために臨床医と糖尿病患者によって使用される装置３０の糖尿病ケアシステムを示す。装置３０のシステムは、つぎの装置、携帯型糖尿病管理装置１０、第１の歩行型インスリン注入ポンプ２２、第２の歩行型インスリン注入ポンプ２４、持続グルコースモニター（ＣＧＭ）２０、携帯電話３２、糖尿病分析ソフトウェアおよびポンプ設定ソフトウェア３４、（血圧などの）ヘルスモニター３６、および各種ヘルスケア装置３８の１つまたは２つ以上を含みうる。携帯型糖尿病管理装置１０は、この実施態様ではシステムハブとして構成されている。しかし、他の実施態様では、第１の歩行型インスリン注入ポンプ２２や携帯電話３２などの他の装置をシステムハブとして働かせることができる。装置３０のシステム間の通信は、たとえばブルートゥースなどの無線プロトコルを用いて、またはコンティニュア・ヘルス・アライアンス設計ガイドライン（Continual(R)Health Alliance Design Guidelines）で規定されるガイドラインを用いて拡張されたＩＥＥＥ１１０７３を操作する独占的なプロトコルを用いて実行することができる。マイクロソフト（登録商標）ヘルスヴォルト（商標）（Microsoft(R) Health VaultTM）およびグーグル（登録商標）ヘルス（GoogleTM Health）などのヘルスケア記録システムが、患者１２と臨床医１４の情報交換に使用できる。ＣＧＭ２０は患者１２の血中グルコースの量を検出しモニターする皮下センサーを使用し、対応する読み取ったデータを携帯型糖尿病管理装置１０に通知する。
【００２１】
携帯型糖尿病管理装置１０は、血中グルコースレベルの測定と記録、インスリン注入ポンプ２２または２４を介して患者１２に投与すべきインスリンの量の決定、ユーザーインターフェースを介しての患者のデータの受け取り、患者のデータの保管などを含む様々な仕事を行う。携帯型糖尿病管理装置１０は、ＣＧＭ２０から患者１２の血中のインスリンレベルを示す読取りデータを定期的に受け取る。携帯型糖尿病管理装置１０は、患者１２にインスリンを投与するインスリン注入ポンプ２２または２４に命令を送る。インスリンは、患者１２の血中のインスリンレベルを予め決められたレベルに維持するために、ベーサル投与（basal dose）形態でスケジュール化された形式で投与することができる。インスリンはまた、患者１２の血中のインスリン量を予め決められた量で増やすボーラス投与（bolus dose）形態で投与することができる。
【００２２】
ＣＧＭパッチ（CGM patch）２０は、ユーザーが装着可能な持続グルコースモニターパッチである。ＣＧＭパッチ２０はＣＧＭデータを集め、そのＣＧＭデータを無線で携帯型糖尿病管理装置１０に送る。
【００２３】
携帯メッセンジャー４４は、携帯電話、ポケットベルまたは他の通信システムでありうる。携帯メッセンジャー４４は、外部の通信ネットワーク（図示せず）に送信するために選ばれたメッセージをフォーマットするメッセンジャーサブシステムを含んでいる。携帯メッセンジャー４４は携帯型糖尿病管理装置１０からのメッセージリクエストを受け入れる。
【００２４】
ヘルスケア装置３８は、ヘルスモニター３６、体重計、歩数計、指先型パルスオキシメータ、体温計、または、個人の健康情報を取得し、コンティニュア・ヘルス・アライアンス（Continual(R) Health Alliance）からのガイドラインを用いて拡張されたＩＳＯ／ＩＥＥＥ１１０７３などの通信プロトコルを用いて、無線またはＵＳＢトランスポート（USB transport）のようなデータ出力チャネルを通して携帯型糖尿病管理装置１０へ健康状態の情報を通信することができる他の装置を含むことができる。
【００２５】
第１のインスリン注入ポンプ２２は、インスリン容器を有し、そして患者１２にインスリンを投与するように構成しうる。第１のインスリン注入ポンプ２２はまた、携帯型糖尿病管理装置１０にデータを通信することができる。そのデータは、患者１２に投与されたインスリンの量、対応する投与の回数、ポンプの状態を含みうる。携帯型糖尿病管理装置１０と第１のインスリン注入ポンプ２２とは、ブルートゥースなどの無線通信プロトコルを用いて通信できる。他の無線または有線通信プロトコルもまた使用できる。第２のインスリン注入ポンプ２４も、好ましくは同様に構成されうることが理解されるだろう。
【００２６】
携帯型糖尿病管理装置１０は、血中グルコース測定エンジン７４を含む。血中グルコース測定エンジン７４は、ここに記載したようなテストストリップに置かれた血液試料に由来する血中グルコースレベルを測定することができる。
【００２７】
ここで、携帯型糖尿病管理装置１０の追加の特徴に言及するために、図４〜８を参照する。糖尿病患者がより親しんでいるユーザーインターフェースを用いて糖尿病をもっと個別的に管理することができるように、携帯型糖尿病管理装置１０は、家庭用電子機器に似た外観と、汎用のＷｉｎｄｏｗｓＣＥオペレーティング・システムを持つように設計されている。携帯型糖尿病管理装置１０は、手の動きに対応するタッチスクリーン８０を有することができる。タッチスクリーン８０は薄膜トランジスタ（ＴＦＴ）ディスプレイ８２の上に敷かれている。ＴＦＴディスプレイ８２は、改良されたユーザーインターフェースやビデオのプレゼンテーションのためのグラフィックディスプレイ用の多色表示が可能である。一例では、ＴＦＴディスプレイ８２は液晶ダイオード（ＴＦＴ−ＣＤ）ディスプレイでありうる。タッチスクリーン８０は抵抗型タッチスクリーンでありうる。タッチスクリーン８０とＴＦＴディスプレイ８２の中間で、一般的に上部ハウジング８６によりタッチスクリーン８０を支持することができる。
【００２８】
センターフレーム９０は、一般的に、上部ハウジング８６と下部ハウジング９２の間に位置しうる。センターフレーム９０は一般的に、その一方の側面（図４）でボタン９４と９６を支え、反対の側面でＵＳＢポート１００とＳＤポート１０２へのアクセスを設けることができる。ボタン９４と９６はインデックスボタンでありうる。センターフレーム９０にはまた、テストストリップ１１０を挿入するためのアクセスポート１０８を画定することができ、血中グルコース測定エンジン７４を用いて血中グルコース測定を実施することができる。下部ハウジング９２はランヤード（lanyard）１１４をさらに含むことができる。ランヤード１１４は、携帯型糖尿病管理装置１０へ取り付けるための紐またはレースなどの可撓性の部材を支えるために用いられうる。バッテリーカバー１１６は、バッテリー１１８を下部ハウジング９２内に安全に保持するように、下部ハウジング９２にスライド可能に連結されている。バッテリー１１８は、集積された安全回路を持つ、ユーザーが交換可能な単独のリチウムイオン電池でありうる。
【００２９】
携帯型糖尿病管理装置１０の追加の特徴をさらに詳しく説明するために、ここで特に図９を参照する。印刷回路基板（ＰＣＢ）１２０は、一般的に、センターフレーム９０と下部ハウジング９２との中間に位置しうる。通信回路１２２は、一般的に、ＰＣＢ１２０に電気的に接続することができる。ＰＣＢ１２０は、内蔵不揮発性メモリをもつ集積された電力管理およびシステムインターフェースを有するプロセッサ１２４を組み込むことができる。好適なプロセッサの１つは３２ビットＡＲＭ９２６ＳＪ−Ｅコアプロセッサである。外部メモリは、プログラムおよびデータ保存用のフラッシュメモリであることができ、また、ＳＤポート１０２などを通して通じることができる。
【００３０】
アンテナアセンブリ１３０は、一般的に、通信回路１２２と下部ハウジング９２との間に配置しうる。サポート部材１３２は、アンテナアセンブリ１３０を通信回路１２２に対して構造的にサポートすることができる。一連の固定具１３６は、下部ハウジング９２を通して画定されている通路１３８に配置され、上部ハウジング８６から延びてきている相補的なボス１４０にネジ止めすることができる。スピーカー通路１４２（図７）は下部ハウジング９２を通して設けることができる。
【００３１】
血中グルコース測定エンジン７４はＰＣＢ１２０に接して配置することができる。血中グルコース測定エンジン７４は、Ａｃｃｕ−Ｃｈｅｋ（登録商標）Ａｖｉｖａ血中グルコースメータ（Accu-Chek(R) Aviva Blood Glucose Meter）に属するタイプのものであることができ、その一部はロッシュ・ディアグノスティックス・オペレーションズ社（Roche Diagnostics Operations, Inc.）に譲渡された、「メータおよび流体の成分の濃度を決定するためにそのメータを用いる方法」と題され、ここで参照によって組み込まれる米国特許第６，６４５，３６８Ｂ１に開示されている。使い捨てのバイオセンサーとして知られているテストストリップ１１０が、集積された採取装置と共に用いられ、毛細管の血液のサンプルを受け取り、血中グルコースを測定するために、酵素反応を受け、電気化学的技術、光学的技術またはその両方で測定される。テストストリップ１１０と血中グルコース測定エンジン７４の一例が、ロッシュ・ディアグノスティックス・オペレーションズ社に譲渡された「テストストリップ用の試薬ストライプ」と題され、ここで参照のために組み込まれる米国特許第７，７２７，４６７に開示されている。血中グルコース測定エンジン７４は、テストストリップ１１０の上に置かれた血液試料から得られる血中グルコースレベルを決定し、ＴＦＴディスプレイ８２上で見るためにそのデータを送るための手段を提供する。
【００３２】
上部ハウジング８６をさらに詳しく説明するために、ここで引き続き図９を参照し、さらに図１０と１１を参照する。上部ハウジング８６は一般的に、丸い角１４４を含む矩形の外形を有することができる。開口１４６を、上部ハウジング８６を通して形成することができ、一般的に、ＴＦＴディスプレイ８２を見るための表示領域を提供する。サポート面１５０はフロントエッジ１５２に対してある距離だけ後退させることができる。サポート面１５０は、ここに記載しているように、液密でシールされる関係においてタッチスクリーン８０を受け入れることができる。通路１５６は、タッチスクリーン８０とＰＣＢ１２０の間を電気的に繋ぐ可撓性のコネクタ１６０の受け取り用に、上部ハウジング８６を通して形成することができる。
【００３３】
タッチスクリーン８０は、一般的に、フロントタッチ表面１６４（図９）と裏面連結表面１６６（図１１）を含んでいる。裏面連結表面１６６は、より具体的に記載されているように、接着剤で上部ハウジング８６のサポート面１５０にしっかりと連結することができる。
【００３４】
ここで図１１と１２を参照するに、タッチスクリーン８０は一般的に、裏面連結表面１６６を与える基板１７０、基板１７０上に配置されている第１（下部）の電極フィルム１７２、下部電極フィルム１７２上に配置されている第２（上部）の電極フィルム１７４、および上部電極フィルム１７４上に配置されているグラフィックフィルム１７６を含むことができる。上部電極フィルム１７４はフロントタッチ表面１６４を与える。この点に関し、タッチスクリーン８０は基板１７０上に配置されている第１の電極フィルム１７２を含む。タッチスクリーン８０はさらに、第２の電極フィルムと、第２の電極フィルム１７４と基板１７０の中間に配置されている第１の電極フィルム１７２とを含んでいる。グラフィックフィルム１７６は第２の電極フィルム１７４上に配置されうる。好適なタッチスクリーンの１つは、日本、東京の日本写真印刷株式会社（Nissha Printing Co., Ltd.）で製造されている。
【００３５】
再び図１１を参照すると、その典型的な構成において、可撓性のコネクタ１６０は、まとめては符号１８０、個別の符号としてはそれぞれ１８０ａ、１８０ｂ、１８０ｃおよび１８０ｄで参照される４つの個別の電気的導線を与えうる。各電気的導線１８０は、まとめては符号１８２、個別の符号としてはそれぞれ１８２ａ、１８２ｂ、１８２ｃおよび１８２ｄで参照されるピンによりタッチスクリーン８０に接続されうる。可撓性のコネクタ１６０は、電気的なピン１８２に接続される第１のセグメント１９０、ＰＣＢ１２０に接続される第２のセグメント１９２、および、第１のセグメント１９０と第２のセグメント１９２との間を接続する中間セグメント１９４を有することができる。可撓性のコネクタ１６０は、第１および第２のセグメント１９０、１９２が、概して平行でかつ互いに対してオフセットされた面を占めるような向きになるように曲げられる。中間セグメント１９４は、第１および第２のセグメント１９０、１９２によって占められる面に概して直交する面を占めることができる。一般的に、中間セグメント１９４は、上部ハウジング８６の通路１５６を通ることができ、第２のセグメント１９２がＰＣＢ１２０と電気的に接続されうる。
【００３６】
図１３は、タッチスクリーン８０に集積されているタッチウインドセンサー２０２の典型的な電気的な概略の配線を示している。当技術分野で知られているように、タッチウインドセンサー２０２は、タッチスクリーン８０のフロントタッチ表面１６４上でのユーザーの指の接触を感知するように構成され得る。この点に関し、ＰＣＢ１２０の回路は、ユーザーがタッチスクリーン８０に触れた位置と、ＴＦＴディスプレイ８２上に存在するアイテムの配置を関連付けることができる。
【００３７】
図１１を参照するに、１つの構成において、接着剤２１０は裏面連結表面１６６の境界２１２にわたって塗布される。接着剤２１０はアクリル系感圧接着剤でありうる。それゆえ、接着剤２１０は、境界２１２の周りに塗布され、透明部分２１８を取り巻く一般的に不透明な部分２１４を形成する。ここで使われているように、「不透明な」という用語は、タッチスクリーン８０の接着剤が塗布されている部分を示すために使用される。ある場合は、不透明な部分２１４は、少なくとも部分的に透明であってもよいということが理解されるだろう。
【００３８】
透明な部分２１８は、ＴＦＴディスプレイ８２を見るために上部ハウジング８６に設けられた開口１４６に対応する一般的に透明な表示領域を有しうる。境界２１２の周り全部に接着剤２１０を塗布することにより、タッチスクリーン８０上の連結表面１６６の境界２１２と上部ハウジング８６のサポート表面１５０との間に液密のシールを作ることができる。そのとき、タッチスクリーン８０と上部ハウジング８６との間に液密シールが実現される。いくつかの例では、液密シールは気密性を与えることができる。タッチスクリーン８０は携帯型糖尿病管理装置１０の画面であるので、タッチスクリーン８０は、清潔さに関して特に規定する（食品医薬品局などの）ガイドラインに適合することが要請される。この点に関し、タッチスクリーン８０は、ゴミなどがタッチスクリーン８０に留まりにくくなるように、また、携帯型糖尿病管理装置１０のタッチスクリーン８０と上部ハウジング８６の間に液体が侵入することなく、タッチスクリーン８０を液体と布で清掃できるようにしなければならない。本件に開示のタッチスクリーン８０、接着剤２１０および上部ハウジング８６の構成はこれらのガイドラインに適合する。
【００３９】
ここで図１４〜１６を参照すると、アンテナアセンブリ１３０がさらに詳しく記載されている。アンテナアセンブリ１３０は、概して、成形されたキャリア２２０、スピーカー２２２および一片の発泡体２２４を含むことができる。導電部分２３０は、成形されたキャリア２２０上に配置され、支持され得る。図示している例では、２つの導電部分２３０ａおよび２３０ｂ全体として導電部分２３０を構成している。希望に応じて、単一の導電部分または多数に分かれた導電部分を組み入れることができる。１つの例によれば、導電部分２３０はレーザー・ダイレクト・ストラクチャリング（laser direct structuring）によって、作製することができる。この点に関し、成形されたキャリア２２０は、レーザーを用いて所望の領域の母材のプラスチック樹脂を除去し、その樹脂中に銅粒子をさらして焼結するように処理することができる。さらされた銅は、その後、さらに銅、ニッケル、そして最後に金でメッキし、所望の形状に導電部分２３０を形成する。
【００４０】
導電部分２３０は、ここで論じているあらゆるワイヤレス技術信号などの無線信号を受信するように構成することができ、またＰＣＢ１２０に電気的に接続することができる。成形されたキャリア２２０は、開孔２３４を画定する取り付けタブ２３２を含みうる。開孔２３４は、成形されたキャリア２２０をセンターフレーム９０にしっかりと連結する固定具２３８（図１０）を受け入れることができる。成形されたキャリア２２０は、一般的に、第１の対の対面する側壁２４０と第２の対の対面する側壁２４２とを含みうる。１つの例において、第１の対の対面する側壁２４０は互いに平行でありうるし、第２の対の対面する側壁２４２は互いに平行でありうる。１つの例において、第１および第２の対の対面する側壁２４０と２４２とは、スピーカー２２２と発泡体２２４とを受け入れ、そして支持する窪み２５０を協働して形成することができる。
【００４１】
サポート壁２５４は、概して、それぞれ第１および第２の対の対面する側壁２４０および２４２の間を横切るように伸びることができる。１つの例において、サポート壁２５４は、第１および第２の対の対面する側壁２４０および２４２の各壁のそれぞれの面に直交する面に沿って伸びている。発泡体２２４は、概して、スピーカー２２２と、成形されたキャリア２２０との間に振動の緩衝を供するように、サポート壁２５４に寄せて位置決めされ得る。シュート（chute）またはチムニー（chimney）２５８は、出口２６０とサポート壁２５４との間の窪み２５０で形成することができる。チムニー２５８および窪み２５０は全体として、スピーカー２２２からの音の伝達に貢献し、スピーカー２２２から発せられた音を放つことができる。開口２６２は、発泡体２２４を通り、そしてサポート壁２５４を通る、スピーカー２２２から発せられた音を通すように、サポート壁２５４を貫いて形成することができる。１つの例において、発泡体２２４はまた、サポート壁２５４の開口２６２と一致する開口２６６を与えうる。本件の開示のアンテナアセンブリ１３０は、携帯型糖尿病管理装置１０内の貴重なスペースが、スピーカー２２２の支持に供することと、加えて、アンテナ（導電部分２３０）の構成要素との両方に使われ得る、効率的な実装の配置を与えることができる。
【００４２】
以下に、本発明の幾つかの実施態様を短く要約する。
１．血中グルコース測定エンジンを有する携帯型糖尿病管理装置であって、ハウジング、該ハウジングに配置されている血中グルコース測定エンジン、該ハウジングに配置されている印刷回路基板、該ハウジングに連結されているタッチスクリーン、該タッチスクリーンと前記印刷回路基板との間の少なくとも２つの独立した電気的導線を電気的に接続する可撓性のコネクタ、および、前記ハウジングに配置され、成形されたキャリアと該成形されたキャリア上に配置された導電部分とスピーカーとを含んでいるアンテナアセンブリを含んでおり、前記タッチスクリーンは不透明部分に取り囲まれた透明部分を有し、該不透明部分は該タッチスクリーンを前記ハウジングにシールする接着剤をその上に有しており、前記導電部分が前記印刷回路基板に電気的に接続され、かつ、無線信号を受信するように構成されており、前記キャリアが前記スピーカーを受け入れる窪みを含み、かつ、前記スピーカーからの音を放つように構成されている携帯型糖尿病管理装置。
２．前記タッチスクリーンが基板上に配置されている第１の電極フィルムを含む実施態様１の携帯型糖尿病管理装置。
３．前記タッチスクリーンが第２の電極フィルムをさらに含んでおり、前記第１の電極フィルムが前記第２の電極フィルムと前記基板との中間に配置されている実施態様２の携帯型糖尿病管理装置。
４．前記タッチスクリーンが前記第２の電極フィルム上に配置されているグラフィックフィルムをさらに含む実施態様３の携帯型糖尿病管理装置。
５．前記少なくとも２つの電気的導線を前記タッチスクリーンにそれぞれ接続する少なくとも２つの独立した電気的なピンをさらに含んでいる実施態様２の携帯型糖尿病管理装置。
６．前記可撓性のコネクタが、前記電気的なピンに接続する第１のセグメント、前記印刷回路基板に接続する第２のセグメント、ならびに、該第１および第２のセグメントの間を接続する中間セグメントを有し、該第１および第２のセグメントは平行かつオフセットされた面に沿って伸びる実施態様５の携帯型糖尿病管理装置。
７．前記成形されたキャリアが、協働して前記スピーカーを収容する２対の対面する側壁を含む実施態様１の携帯型糖尿病管理装置。
８．前記成形されたキャリアが、該キャリアを前記ハウジングに連結する固定具を収容するように構成された開孔を画定する実施態様７の携帯型糖尿病管理装置。
９．前記成形されたキャリアが、一般的に第１および第２の対面する側壁の対の間を連結するサポート壁を含む実施態様７の携帯型糖尿病管理装置。
１０．前記サポート壁が前記対面する各側壁のそれぞれの面に直交する面に沿って伸びており、該サポート壁が、実質的に、対面する各側壁の中間点に位置している実施態様９の携帯型糖尿病管理装置。
１１．前記窪みが前記スピーカーからの音を発するように構成された出口を画定し、前記サポート壁が前記スピーカーと前記出口との中間に位置している実施態様９の携帯型糖尿病管理装置。
１２．前記スピーカーと前記サポート壁との中間に配置された発泡体をさらに含み、該発泡体および前記サポート壁が、両方で実質的に一直線に並んだ開口を画定している実施態様１１の携帯型糖尿病管理装置。
１３．血中グルコース測定エンジンを有する携帯型糖尿病管理装置であって、ハウジング、該ハウジングに配置されている血中グルコース測定エンジン、該ハウジングに配置されている印刷回路基板、該ハウジングに連結されているタッチスクリーン、および、該タッチスクリーンと前記印刷回路基板との間の少なくとも２つの独立した電気的導線を電気的に接続する可撓性のコネクタを含んでおり、該タッチスクリーンは不透明部分に取り囲まれた透明部分を有し、該不透明部分は、該タッチスクリーンを前記ハウジングに連結し、かつ、該タッチスクリーンを前記ハウジングにシールする接着剤をその上に有している、携帯型糖尿病管理装置。
１４．前記タッチスクリーンが、基板上に配置されている第１の電極フィルムと、第２の電極フィルムと、第２の電極フィルム上に配置されているグラフィックフィルムを含んでおり、前記第１の電極フィルムが前記第２の電極フィルムと前記基板との中間に配置される実施態様１３の携帯型糖尿病管理装置。
１５．前記少なくとも２つの電気的導線を前記タッチスクリーンにそれぞれ接続する少なくとも２つの独立した電気的なピンをさらに含む実施態様１４の携帯型糖尿病管理装置。
１６．前記可撓性のコネクタが、前記電気的なピンに接続する第１のセグメント、前記印刷回路基板に接続する第２のセグメント、ならびに、該第１および第２のセグメントの間を接続する中間セグメントを有し、該第１および第２のセグメントは平行かつオフセットされた面に沿って伸びている実施態様１３の携帯型糖尿病管理装置。
１７．血中グルコース測定エンジンを有する携帯型糖尿病管理装置であって、ハウジング、該ハウジングに配置されている血中グルコース測定エンジン、該ハウジングに配置されている印刷回路基板、および、該ハウジングに配置され、成形されたキャリアと該成形されたキャリア上に配置された導電部分とスピーカーとを含んでいるアンテナアセンブリを含んでおり、前記導電部分が前記印刷回路基板に電気的に接続され、かつ、無線信号を受信するように構成されており、前記キャリアが前記スピーカーを受け入れる窪みを含み、かつ、前記スピーカーからの音を放つように構成されている携帯型糖尿病管理装置。
１８．前記成形されたキャリアが、協働して前記スピーカーを収容する２対の対面する側壁を含む実施態様１７の携帯型糖尿病管理装置。
１９．前記成形されたキャリアが、一般的に第１および第２の対面する側壁の対の間を連結するサポート壁を含み、該サポート壁が前記対面する各側壁のそれぞれの面に直交する面に沿って伸びており、該サポート壁が、実質的に、対面する各側壁の中間点に位置している実施態様１８の携帯型糖尿病管理装置。
２０．前記窪みが前記スピーカーからの音を発するように構成された出口を画定し、前記サポート壁が前記スピーカーと前記出口との中間に位置しており、前記スピーカーと前記サポート壁との中間に配置された発泡体をさらに含み、該発泡体および前記サポート壁が、両方で実質的に一直線に並んだ開口を画定している実施態様１９の携帯型糖尿病管理装置。
【図１】
2013544550.tif 000003
【図２】
2013544550.tif 000004
【図３】
2013544550.tif 000005
【図４】
2013544550.tif 000006
【図５】
2013544550.tif 000007
【図６】
2013544550.tif 000008
【図７】
2013544550.tif 000009
【図８】
2013544550.tif 000010
【図９】
2013544550.tif 000011
【図１０】
2013544550.tif 000012
【図１１】
2013544550.tif 000013
【図１２】
2013544550.tif 000014
【図１３】
2013544550.tif 000015
【図１４】
2013544550.tif 000016
【図１５】
2013544550.tif 000017
【図１６】
2013544550.tif 000018
【手続補正書】
【提出日】平成24年5月19日(2012.5.19)
【手続補正１】
【補正対象書類名】特許請求の範囲
【補正対象項目名】全文
【補正方法】変更
【補正の内容】
【特許請求の範囲】
【請求項１】
血中グルコース測定エンジンを有する携帯型糖尿病管理装置であって、
ハウジング、
該ハウジングに配置されている血中グルコース測定エンジン、
該ハウジングに配置されている印刷回路基板、
該ハウジングに連結されているタッチスクリーン、および、
該ハウジングに配置され、成形されたキャリアと該成形されたキャリア上に配置された導電部分とスピーカーとを含んでいるアンテナアセンブリ
を含んでおり、該タッチスクリーンは不透明部分に取り囲まれた透明部分を有し、該不透明部分は該タッチスクリーンを前記ハウジングにシールする接着剤をその上に有しており、前記導電部分が前記印刷回路基板に電気的に接続され、かつ、無線信号を受信するように構成されており、前記キャリアが前記スピーカーを受け入れる窪みを含み、かつ、前記スピーカーからの音を放つように構成されている携帯型糖尿病管理装置。
【請求項２】
前記携帯型糖尿病管理装置が、前記タッチスクリーンと前記印刷回路基板との間の少なくとも２つの独立した電気的導線を電気的に接続する可撓性のコネクタを含む請求項１記載の携帯型糖尿病管理装置。
【請求項３】
前記導電部分が全体として２つの導電部分、特に、単一の導電部分または多数に分かれた導電部分を含む請求項１または２記載の携帯型糖尿病管理装置。
【請求項４】
前記タッチスクリーンが基板上に配置されている第１の電極フィルムを含む請求項１〜３のいずれか１項に記載の携帯型糖尿病管理装置。
【請求項５】
前記タッチスクリーンが第２の電極フィルムをさらに含んでおり、前記第１の電極フィルムが前記第２の電極フィルムと前記基板との中間に配置されている請求項１〜４のいずれか１項に記載の携帯型糖尿病管理装置。
【請求項６】
前記タッチスクリーンが、前記第２の電極フィルム上に配置されているグラフィックフィルムをさらに含む請求項１〜５のいずれか１項に記載の携帯型糖尿病管理装置。
【請求項７】
前記少なくとも２つの電気的導線を前記タッチスクリーンにそれぞれ接続する少なくとも２つの独立した電気的なピンをさらに含んでいる請求項１〜６のいずれか１項に記載の携帯型糖尿病管理装置。
【請求項８】
前記可撓性のコネクタが、前記電気的なピンに接続する第１のセグメント、前記印刷回路基板に接続する第２のセグメント、ならびに、該第１および第２のセグメントの間を接続する中間セグメントを有し、該第１および第２のセグメントは平行かつオフセットされた面に沿って伸びている請求項１〜７のいずれか１項に記載の携帯型糖尿病管理装置。
【請求項９】
前記成形されたキャリアが、協働して前記スピーカーを収容する２対の対面する側壁を含む請求項１〜８のいずれか１項に記載の携帯型糖尿病管理装置。
【請求項１０】
前記成形されたキャリアが、該キャリアを前記ハウジングに連結する固定具を収容するように構成された開孔を画定する請求項１〜９のいずれか１項に記載の携帯型糖尿病管理装置。
【請求項１１】
前記成形されたキャリアが、一般的に第１および第２の対面する側壁の対の間を連結するサポート壁を含む請求項１〜１０のいずれか１項に記載の携帯型糖尿病管理装置。
【請求項１２】
前記サポート壁が、前記対面する側壁のそれぞれの面に直交する面に沿って伸びており、該サポート壁が、実質的に、対面する各側壁の中間点に位置している請求項１１記載の携帯型糖尿病管理装置。
【請求項１３】
前記窪みが前記スピーカーからの音を発するように構成された出口を画定し、前記サポート壁が前記スピーカーと前記出口との中間に位置している請求項１〜１２のいずれか１項に記載の糖尿病管理装置。
【請求項１４】
前記スピーカーと前記サポート壁との中間に配置された発泡体をさらに含み、かつ該発泡体および前記サポート壁が、両方で実質的に一直線に並んだ開口を画定している請求項１〜１３のいずれか１項に記載の携帯型糖尿病管理装置。
【国際調査報告】
2013544550.tif 000019
2013544550.tif 000020
2013544550.tif 000021